(57)【要約】      （修正有）【課題】Ｉ形およびＬ形の両仕様に対応でき、部材選択ミス等の発生を招くおそれのない浴槽用給湯口アダプタにおける外管接続装置を提供する。【解決手段】浴槽Ｔの側壁外面に設けられる槽外取付部材７１を備え、その槽外取付部材７１は、浴槽Ｔの側壁外面に固定される槽外取付部材本体７１０と、この槽外取付部材本体７１０内の流路の後端ポート部７１０ａ，７１０ｂに連通して後壁から突出する外管接続部７２０Ａ，７２０Ｂとから構成されており、前記外管接続部７２０Ａ，７２０Ｂは、管軸に対して交差する方向に沿って傾斜した接合面７２１ａ，７２２ａを存在させて基端部７２１側と先端部７２２側とに２分割され、先端部７２２側を基端部７２１側に対してＩ形仕様対応状態とＬ形仕様対応状態とを選択して接合できるように構成されている。【選択図】図１
2010133653.tif 000002
【特許請求の範囲】
【請求項１】
浴槽の側壁外面側に設けられる槽外取付部材を備え、浴槽の内部と外部との間で流路を形成するようにした浴槽用給湯口アダプタにおける外管接続装置において、
前記槽外取付部材は、前記浴槽の側壁外面側に固定される槽外取付部材本体と、この槽外取付部材本体内の流路の後端ポート部に連通するとともに、該槽外取付部材本体の後壁から突出する外管接続部とから構成されており、
前記外管接続部は、前記後端ポート部の管軸に対して交差する方向に沿って傾斜した接合面を存在させて基端部側と先端部側とに２分割されるとともに、この外管接続部が前記後端ポート部の管軸に沿った方向へ突出する状態で先端部側の傾斜接合面を基端部側の傾斜接合面に接合したＩ形仕様対応状態と、この外管接続部が前記後端ポート部の管軸に対して屈曲する状態で先端部側の傾斜接合面を前記基端部側の傾斜接合面に接合したＬ形仕様対応状態とが選択可能に構成されていることを特徴する浴槽用給湯口アダプタにおける外管接続装置。
【請求項２】
前記先端部および基端部の両傾斜接合面は、後端ポート部の管軸に対する交差角度が４５°に設定されている請求項１に記載の浴槽用給湯口アダプタにおける外管接続装置。
【請求項３】
前記外管接続部は、互いに並列状に配置された一対のものが互いに基部側で連結されている請求項１または２に記載の浴槽用給湯口アダプタにおける外管接続装置。
【請求項４】
前記外管接続部の基端部における傾斜接合面が、その接合面に直交する方向に延びる直線状部を介して基端部に設けられるとともに、先端部における傾斜接合面が、その接合面に直交する方向に延びる直線状部を介して先端部に設けられる請求項１〜３のいずれか一つの項に記載の浴槽用給湯口アダプタにおける外管接続装置。
【請求項５】
前記外管接続部における基端部および先端部には、それぞれ各接合面回りのフランジが形成されている請求項１〜４のいずれか一つの項に記載の浴槽用給湯口アダプタにおける外管接続装置。
【請求項６】
前記基端部側のフランジと先端部側のフランジとがねじ止めで結合されている請求項５に記載の浴槽用給湯口アダプタにおける外管接続装置。
【請求項７】
前記基端部側のフランジと先端部側のフランジとが、両フランジを径方向から弾性的に抱持し、且つ管軸方向から挟持するクイックファスナーで結合されている請求項５に記載の浴槽用給湯口アダプタにおける外管接続装置。
【発明の詳細な説明】
【技術分野】
【０００１】
この発明は、浴槽側壁に貫通状態で取り付けられて、浴槽外に設置されている給湯機に配管接続するために使用される浴槽用給湯口アダプタにおける外管接続装置の関する。
【背景技術】
【０００２】
近年、浴槽の給湯システムでは、浴槽外に設置されている給湯機で沸かした温水を浴槽内に送る湯張り機能と、浴槽内の温水を吸い込んで給湯機に送り、該給湯機で兼加熱して高温水として浴槽内に戻す追い焚き機能とを備えるものが多く普及している。
【０００３】
そして、このような給湯システムでは、外部の給湯機との間の循環流路の配管のために浴槽側壁に給湯口アダプタが浴槽の側壁を貫通状態で取り付けられる。
【０００４】
前記給湯口アダプタは、所定の流路形成を行う流路形成ユニットを浴槽の側壁部内面側に取り付ける槽内取付部材と、浴槽側壁を挟んで槽外取付部材とを備えており、この槽外取付部材における外管接続部に前記給湯機からに配管である外管が接続されるようになっている。
【０００５】
槽外取付部材は、一般に、合成樹脂等で筒形に形成された本体と、この本体における一対の後端ポート部に連通する外管接続部が該本体の背面壁から外方へ突出する状態で一体形成されている（例えば、特許文献１参照）、
【特許文献１】特開平１１−３３７１８６号公報
【発明の開示】
【発明が解決しようとする課題】
【０００６】
ところで、この種の配管においては、槽外取付部材における外接続部が本体の後端ポート部から管軸に沿って真っ直ぐ突出している仕様、いわゆるＩ形仕様を採用して該外管接続部に給湯機からの外管を接続する場合と、槽外取付部材における外接続部が本体の後端ポート部から管軸に対して略直角に曲がった方向へ延びる仕様、いわゆるＬ形仕様を採用して該外管接続部に給湯機からの外管を接続する場合との二つがある。
【０００７】
しかし、従来の槽外取付部材では、外管接続部の突出する状態が前記Ｉ形仕様に対応したものと、Ｌ形仕様に対応したものとに個別に製作されていたので、予めこれら２種のものを用意しなければならないうえ、施工あたってこれら２種のものの選択を誤ると、施工作業が大幅に遅れてしまうといった問題を起きるおそれがあった。
【０００８】
この発明は、上記実情に鑑みてなされたものであり、一種類の槽外取付部材でＩ形およびＬ形の両仕様に対応でき、用意する部材点数を削減できるとともに、部材選択ミス等の発生を招くおそれのない浴槽用給湯口アダプタにおける外管接続装置を提供することを課題としている。
【課題を解決するための手段】
【０００９】
上記課題は、以下の手段によって解決される。
【００１０】
（１）浴槽の側壁外面側に設けられる槽外取付部材を備え、浴槽の内部と外部との間で流路を形成するようにした浴槽用給湯口アダプタにおける外管接続装置において、
前記槽外取付部材は、前記浴槽の側壁外面側に固定される槽外取付部材本体と、この槽外取付部材本体内の流路の後端ポート部に連通するとともに、該槽外取付部材本体の後壁から突出する外管接続部とから構成されており、
前記外管接続部は、前記後端ポート部の管軸に対して交差する方向に沿って傾斜した接合面を存在させて基端部側と先端部側とに２分割されるとともに、この外管接続部が前記後端ポート部の管軸に沿った方向へ突出する状態で先端部側の傾斜接合面を基端部側の傾斜接合面に接合したＩ形仕様対応状態と、この外管接続部が前記後端ポート部の管軸に対して屈曲する状態で先端部側の傾斜接合面を前記基端部側の傾斜接合面に接合したＬ形仕様対応状態とが選択可能に構成されていることを特徴する浴槽用給湯口アダプタにおける外管接続装置。
【００１１】
（２）前記先端部および基端部の両傾斜接合面は、後端ポート部の管軸に対する交差角度が４５°に設定されている前項１に記載の浴槽用給湯口アダプタにおける外管接続装置。
【００１２】
（３）前記外管接続部は、互いに並列状に配置された一対のものが互いに基部側で連結されている前項１または２に記載の浴槽用給湯口アダプタにおける外管接続装置。
【００１３】
（４）前記外管接続部の基端部における傾斜接合面が、その接合面に直交する方向に延びる直線状部を介して基端部に設けられるとともに、先端部における傾斜接合面が、その接合面に直交する方向に延びる直線状部を介して先端部に設けられる前項１〜３のいずれか一つの項に記載の浴槽用給湯口アダプタにおける外管接続装置。
【００１４】
（５）前記外管接続部における基端部および先端部には、それぞれ各接合面回りのフランジが形成されている前項１〜４のいずれか一つの項に記載の浴槽用給湯口アダプタにおける外管接続装置。
【００１５】
（６）前記基端部側のフランジと先端部側のフランジとがねじ止めで結合されている前項５に記載の浴槽用給湯口アダプタにおける外管接続装置。
【００１６】
（７）前記基端部側のフランジと先端部側のフランジとが、両フランジを径方向から弾性的に抱持し、且つ管軸方向から挟持するクイックファスナーで結合されている前項５に記載の浴槽用給湯口アダプタにおける外管接続装置。
【発明の効果】
【００１７】
前項（１）に記載の発明によれば、槽外取付部材における外管接続部が槽外取付部材本体の後端ポート部の管軸に対して交差する方向に沿って傾斜した接合面を存在させて基端部側と先端部側とに２分割されているから、前記先端部が後端ポート部の管軸に沿った方向へ突出するように該先端部の傾斜接合面を後端部の接合面に接合・結合すれば、いわゆるＩ形仕様に対応でき、また、前記先端部が後端ポート部管軸に対して屈曲して突出するように該先端部の傾斜接合面を後端部の接合面に接合・結合すれば、いわゆるＬ形仕様に対応できる。
【００１８】
つまり、外管接続部形状が異なる２種類の槽外取付部材を用意しなくても、上記Ｉ形仕様とＬ形仕様に対応できるので、部材点数が削減され、管理しやすくなり、しかも、Ｉ形用とＬ形用とを取り違えるといったミスを招くおそれはが解消される。
【００１９】
前項（２）に記載の発明によれば、両傾斜接合面における後端ポート部の管軸に対する交差角度が４５°であるので、外管接続部をＬ形仕様に対応するように接続した場合、先端部が基端部に対して９０°の角度で屈曲した状態となる。
【００２０】
前項（３）に記載の発明によれば、外管接続部が、互いに並列状に配置された一対のものが互いに基部側で連成されているから、一対のものの各先端部を各基端部に対する接合を速やかに行うことができる。
【００２１】
前項（４）に記載の発明によれば、前記外管接続部における基端側と先端部側の接合部位を挟む管軸方向の両側部位が直線状部で構成されているので、十分なスペースが確保されて、基端側と先端部側との接合・結合作業が支障なく行える。
【００２２】
前項（５）に記載の発明によれば、外管接続部における基端部と先端部とを両フランジを介して確実に結合できる。
【００２３】
前項（６）に記載の発明によれば、外管接続部における基端部と先端部とをねじ止めで堅固に結合できる。
【００２４】
前項（７）に記載の発明によれば、外管接続部における基端部と先端部とをクイックファスナーで速やかに結合できる。
【発明を実施するための最良の形態】
【００２５】
以下、この発明の実施形態を図面に基づいて説明する。
【００２６】
図１は、この発明に係る浴槽用給湯口アダプタにおける外管接続装置を示す一部破断平面図、図２は、同じく浴槽用給湯口アダプタにおける外管接続装置を示す分解斜視図、図３は、浴槽用給湯口アダプタにおける流路形成ユニットの分解斜視図である。
【００２７】
なお、この実施形態における浴槽用給湯アダプタにおける外管接続装置は、浴槽外に設置されている給湯機（図示せず）からの温水を浴槽Ｔ内に供給する湯張り（貯湯）機能と、浴槽Ｔ内の温水を給湯機に吸い込んで加熱した高温水を浴槽Ｔ内に戻す追い焚き機能とを備えた浴槽給湯システムに適用するものであり、いわゆる無極タイプとして、給湯機に繋がる往き管と戻り管に対する接続が逆になっても同じ機能が得られるようになっている。
【００２８】
図１および図２において、この外管接続装置が適用された給湯口アダプタＡは、浴槽Ｔの内部と外部との間で所定流路を形成する流路形成ユニット１０と、流路形成ユニット１０を該浴槽Ｔの側壁Ｔａの内面側に取り付ける槽内取付部材７２と、前記浴槽Ｔの側壁Ｔａの外面側に配備されて、槽内取付部材７２を浴槽Ｔに固定する槽外取付部材７１と、フィルタ部材７３との４つの主要部品の他に、槽外側のリング状パッキング８１、Ｏリング８２、槽内側のリング状パッキング８３、リング状滑りシート８４および流路形成ユニット１０の回り止め用ロックピン８５等の付属部品で構成されている。
【００２９】
前記流路形成ユニット１０は、既述の無極タイプとして流路を形成するものであり、例えば硬質合成樹脂で成形された円盤部１ａの中央後面側に流路分岐部１ｂ（図５参照）および流路筒部１ｃが一体形成されたユニット本体１と、前記円盤部１ａの前面に嵌着される前板２と、前記円盤部１ａの中央弁部における弁座枠３１と、流路分岐部１ｂに配置されたゴム板からなる第１および第２の弁体３２Ａ，３２Ｂとを備えている。
【００３０】
前記ユニット本体１の円盤部１ａの周縁上半部には、前方へ突出して突縁部１１が一体形成されており、この突縁部１１に係止して装着される前板２と前記円盤部１ａの前面との間で区画室１０ａが構成されている。
【００３１】
図３〜図６に示すように、ユニット本体１の円盤部１ａにおける中央部には、弁部３を構成する開口部１２が形成され、この開口部１２が縦隔壁１３と左右の横桟１４，１４によって上下左右の流路孔１５ａ〜１５ｄに４分割されている。
【００３２】
そして、左側上下の流通孔１５ａ，１５ｂは、後方外側へ開放される一方、右側上下のの流路孔１５ｃ，１５ｄは、流路分岐部１ｂの縦隔壁１３を直線部とする半円形の連絡室１０ｂ（図５参照）を経て後部の円筒状流路筒部１ｃ内に連通している。
【００３３】
また、下側左右の流通孔１５ｂ，１５ｄには、それぞれ開口縁の左右部および下辺部と中間のリブにより、前面側に臨む第１および第２吐出弁座３３ａ，３３ｂが形成されている。
【００３４】
弁座枠３１は、ユニット本体１の開口部１２の上部側に前方から嵌着することにより、後方側に臨む第１および第２吸込弁座３４ａ，３４ｂを構成するものであり、外形が略半円形の硬質合成樹脂等からなり、上側左右の流路孔１５ａ，１５ｃのそれぞれに対応する左右一対の流路窓３１ａ・・・を有するとともに、頂部と左右両端部とに突起状の当接片３１ｂが形成され、また、下縁の中央部と左右両側に取付孔３１ｃ・・・が形成されている。
【００３５】
第１および第２の弁体３２Ａ，３２Ｂは、ユニット本体１の開口部１２を左右に分割した各形状に対応しており、上半部が第１および第２吸込弁３５ａ，３５ｂとしてそれぞれ上側左右の流通孔１５ａ，１５ｃに嵌入されるサイズに形成される一方、下半部が第１および第２吐出弁３６ａ，３６ｂとして下側左右の流通孔１５ｂ，１５ｄの第１および第２吐出弁座３３ａ，３３ｂに嵌合するサイズに形成されている。そして、両弁体３２Ａ，３２Ｂの上下方向の中間部には、左右両側の取付孔３２ａ，３２ａと、その間の横方向のリブ３２ｂとが設けられている。
【００３６】
そして、ユニット本体１側には、図３に示すように、左右の横桟１４，１４の各両端部に前方へ突出するピン１４ａが形成されており、このピン１４ａを前記弁体３２Ａ，３２Ｂ側の取付孔３２ａおよび弁座枠３１側の取付孔３１ｃにそれぞれ圧入することにより、これら弁体３２Ａ，３２および弁座枠３１がユニット本体１の円盤部１ａに装着される。
【００３７】
また、ユニット本体１の円盤部１ａの前面側には、下部の左右両側の直線部を内側にした弓形の凸部からなるセパレータ部４Ａ，４Ａの他に、上側突縁部１１の左右内縁側に係止ピン１１ｂや前板受け片１６ｂが形成されている。
【００３８】
前記係止ピン１１ｂを前板２側の複数の孔２ｂに圧入させて該前板２がユニット本体１の円盤部１ａの前面側に対向して装着される。
【００３９】
さらに、ユニット本体１には、その中央上部に位置してロックピン挿通用のピン孔１７が形成されている。また、円盤部１ａの突縁部の頂端近傍に前方へ開く切欠部１８が形成されており、さらに、円盤部１ａの後面側には、図６およびお図７にも示すように、全周にわたる後方突縁部１１ｃが一体形成され、その内周面には、係止突起１９が周方向へ等配して形成されている。
【００４０】
前記前板２は、図３に示すように、前記ユニット本体２１の円盤部１ａに対応した円形に形成されており、その上半部には、上段側の左右の流路孔１５ａ，１５ｃに対向する領域に多数の小孔からなる吸込孔２０・・・が貫通形成されている。さらに、円盤部１ａの両側縁部には、ユニット本体１の各係止ピン１１ｂに圧入される係止孔２ｂ，２ｂが形成されている。また、前板２の周縁の２個所には、ユニット本体１側の各係止溝１１ａの入口部となる切欠２ｃが形成されている。
【００４１】
上記ピン孔１７にロックピン８５を挿通させることにより、流路形成ユニット１０の回り止めが行われるようになっている。
【００４２】
また、図８に示すように、前板２の後面側には、ピン孔１７の位置から左右両側へ円弧状に延びる円弧隔壁リブ２１，２１、ピン孔１７から真下に直線的に延びる縦隔壁リブ２２、縦隔壁２２の中間部と左右両端の円弧隔壁リブ２１，２１の間を繋ぐ横隔壁リブ２３，２３、各横隔壁リブ２３から外向き斜め下方へ分岐した吐出ガイドリブ２４，２４、左右両側の円弧隔壁リブ２１，２１における横隔壁リブ２３との接合部よりも下方部分に外側に対向する弧状の導出ガイドリブ２５，２５がそれぞれ突設されている。
【００４３】
また、前板２の後面側には、ユニット本体１側のセパレータ部４Ａ，４Ａに対応する弓形の浅い凹部２７，２７が形成され、さらに、ユニット本体１側の第１および第２吐出弁座３３ａ，３３ｂの下縁部との対向位置には、直線状Ｖ字溝２９，２９（図８）が設けられている。
【００４４】
流路形成ユニット１０は、第１および第２弁体３２Ａ，３２Ｂと弁座枠３１を装着したユニット本体１の円盤部１ａに対し、前板２の係止孔２ｂ，２ｂにユニット本体１側の係止ピン１１ｂ，１１ｂを挿入して該前板２を内嵌係止させることにより、該円盤部１ａと前板２との間で既述した区画室１０ａを構成したものである。
【００４５】
この区画室１０ａでは、図９に示すように、ユニット本体１側の突縁部１１と、前板２側のリブ２１〜２５とが隔壁を構成し、また、ユニット本体１側のセパレータ部４Ａ，４と前記前板受け１６ｂも前板２の後面に密着して壁体となっている。
【００４６】
これにより、区画室１０ａ内の上部側には、隔壁リブ２１〜２３に囲まれて隔絶された左右の第１および第２吸込室５１ａ，５１ｂが形成されるとともに、上部側周縁に突縁部１１と円弧隔壁リブ２１，２１との間に混合用流路６Ａが構成されている。また、該区画室１０ａ内の下部には、縦隔壁リブ２２の下方を仮想境界として、左右の第１および第２吐出室５２ａ，５２ｂに区画されている。
【００４７】
そして、第１吸込室５２ａには第１吸込弁３５ａが、第２吸込室５２ｂには第２吸込弁３５ｂがそれぞれ臨み、また、第１吐出室５２ａには第１吐出弁３６ａが、第２吐出室５２ｂには第１吐出弁３６ｂがそれぞれ臨んでいる。
【００４８】
また、区画室１０ａの突縁部１１がない下部側は、スリット状に外部に開放した吐出口５３を構成している。さらに、第１および第２吐出室５２ａ，５２ｂでは、それぞれ吐出弁３６ａ，３６ｂの流出口５４と吐出口５３との間がセパレータ部４Ａにより左右に別けられている。両吐出室５２ａ，５２ｂは、縦隔壁リブ２２の下端２２ａの下方に構成される連通口５５によって連通している。
【００４９】
前記混合用流路６Ａは、ユニット本体１の突縁部１１に設けていた切欠１８が頂部で導入口６０として外部に開口する一方、左右両側において、吐出ガイドリブ２４の下端と導出ガイドリブ２５との間が導入口６１（図９）として第１および第２吐出室５２ａ，５２ｂの側方に臨んでいる。
【００５０】
図１，２に示すように前記槽内取付部材７２は、例えばポリアセラート樹脂等の硬質樹脂成形物からなり、両端が開放された筒状部７２ａの前端にフランジ部７２ｂが一体形成されており、筒状部７２ａの外周面には、槽外取付部材７１の雌ねじ７４ａに螺合される雄ねじ７４ｂが形成されている。
【００５１】
また、前記フランジ部７２ｂの前面側には、前記ロックピン８５の先端に嵌合される多数の有底のロック孔７６・・・が円周方向へ一定間隔毎に設けられている。
【００５２】
つまり、前記流路形成ユニット１０のピン孔１７にロックピン８５を強制的に圧入した際に、そのロックピン８５の先端部が前記ロック孔７６・・・の一つに嵌合し、これにより流路形成ユニット１０の回転変移が阻止されるようになっている。
【００５３】
前記リング状滑りシート８４とリング状パッキング８３は、使用するに際して、前記筒状部７２ａにそれぞれ嵌着されるものである。
【００５４】
前記フィルタ部材７３は、例えば硬質合成樹脂製の皿形の成形物からなり、前面壁部には、多数の吸込孔７８が形成されており、前記流路形成ユニット１０の前面側に装着されるようになっている。
【００５５】
前記槽外取付部材７１は、例えば黄銅やスイテンレスないしは合成樹脂（この例では、ポリアセラート樹脂等の硬質樹脂成形物）からなる槽外取付部材本体７１０と、この槽外取り付け部材本体７１０における一対の後端ポート７１０ａ，７１０ｂ（図１２参照）にそれぞれ連通する一対の外管接続部７２０Ａ，７２０Ｂとを備えている。
【００５６】
槽外取付部材本体７１０は、外筒部７１ａと、この外筒部７１ａの前縁に一体形成されたフランジ部７１ｂと、外筒部７１ａの前部よりに管軸方向後方側で同軸上に位置して、該外筒部７１ａに一体形成された内筒部７１ｃと有しており、前記フランジ部７１ｂには、合成ゴム等からなる断面略Ｕ字形のリング状パッキング８１が嵌着されている。
【００５７】
前記槽外取付部材本体７１０における外筒部７１ａと内筒部７１ｃとの間の環状空間７ａが前記一方の外管接続部７２０Ａに連通し、また、内筒部７１ｃに内部空間７ｂが他方の外管接続部７２０Ｂに連通するようになっている。
【００５８】
前記外筒部７１ａの前部内周面に雌ねじ７４ａ形成されており、また、外筒部７１ａの前端側内周面には、前記Ｏリング８２が装着されている。
【００５９】
前記槽外取付部材７１における外管接続部７２０Ａ，７２０Ｂは、図１０〜図１６にも示すように、それぞれ基端部７２１と先端部７２２とに２分割されており、各分割面７２１ａ，７２２ａは、それぞれ前記後端ポート部７１０ａ，７１０ｂの各管軸に対して交差する方向に沿って傾斜、例えば４５°の角度で傾斜して接合面として構成されており、基端部７２１と先端部７２２とを各接合面７２１ａ，７２２ａをそのまま接合することにより、外管接続部７２０Ａ，７２０Ｂが図１１および図１２にも示すように、前記後端ポート部７１０ａ，７１０ｂの管軸に略沿った方向へ突出する状態の仕様、いわゆるＩ形仕様で使用できる。
【００６０】
また、前記基端部７２１と先端部７２２とを前記後端ポート部７１０ａ，７１０ｂの各管軸回りで相対的に１８０°反転させて各接合面７２１ａ，７２２ａを接合することにより、外管接続部７２０Ａ，７２０Ｂが図１４〜図１６に示すように、前記後端ポート部７１０ａ，７１０ｂの管軸に対して略９０°に屈曲して側方へ突出する状態での仕様、いわゆるＬ形仕様でも使用できるようになっている。
【００６１】
前記外管接続部７２０Ａ，７２０Ｂにおける基端部７２１および先端部７２２の各接合面７２１ａ，７２２ａの回りには、それぞれフランジ７２１ｂ，７２２ｂがそれぞれ一体形成されている。
【００６２】
この例では、一方の外管接続部７２０Ａにおける基端部７２１のフランジ７２１ｂと他方の外管接続部７２０Ｂにおける基端部７２１のフランジ７２１ｂとが一体形成されており、また、一方の外管接続部７２０Ａにおける先端部７２２のフランジ７２２ｂと他方の外管接続部７２０Ｂにおける先端部７２２のフランジ７２２ｂとが一体形成されている。これにより、一対の外管接続部７２０Ａ，７２０Ｂの取り扱い、つまり両外管接続部７２０Ａ，７２０Ｂの各先端部７２２，７２２を一緒に組み付けることができる。
【００６３】
前記基端部７２１側のフランジ７２１ｂの適所には、ねじ孔７２１ｃが形成される一方、先端部７２２側のフランジ７２２ｂには、ねじ孔７２１ｃ対応してねじ挿通孔７２２ｃ（図１５参照）がそれぞれ形成されている。
【００６４】
また、前記一方の外管接続部７２０Ａにおける基端部７２１の傾斜接合面７２１ａと他方の外管接続部７２０Ｂにおける先端部７２２の傾斜接合面７２２ａとの間には、両者７２１ａ，７２２ａのいずれか一方に形成されている環状溝７２５（図１２、図１５、図１６参照）に嵌着されたＯリング７２４が介在されている。
【００６５】
前記基端部７２１側のフランジ７２１ｂと先端部７２２側のフランジ７２２ｂとは、前記フランジ７２２ｂのねじ挿通孔７２２ｃに挿通されたねじ８００・・・をフランジ７２１ｂのねじ孔７２１ｃに螺合して締め付け固定されるようになっている。
【００６６】
勿論、両フランジ７２１ｂ，７２２ｂの両方にねじ挿通孔を設けて、ねじ８００とナットで締め付けるようにしてもよい。
【００６７】
つぎに、上記構成の給湯口アダプタＡを浴槽Ｔの側壁Ｔａに取り付ける手順を簡単に説明する。
【００６８】
まず、槽外取付部材７１と、槽内取付部材７２とを浴槽側壁Ｔａの貫通孔Ｈを通して螺合し、両者７１，７２のフランジ部７１ｂ，７２ｂ間でパッキング８１，８３を介して浴槽側壁Ｔａを内外から挟着する。
【００６９】
すなわち、浴槽側壁Ｔａの貫通孔Ｈをの外側に配置した槽外取付部材７１の外筒部７１ａに、槽内取付部材７２の筒状部７２ａを該浴槽側壁Ｔａの貫通孔Ｈを通して合わせ、槽内取付部材７２側の回転操作により、筒状部７２ａの雄ねじ外筒部７１ａの雌ねじ７４ａに螺合して締め付ければよい。
【００７０】
両取付部材７１，７２の螺合結合操作が完了すれば、槽外取付部材７２における外管接続部７２０Ａ，７２０Ｂの各先端部７２２，７２２に、給湯機に繋がる往き管と戻り管とを接続する。これに際して、往き管および戻り管の接続仕様に応じて槽外取付部材７２における外管接続部７２０Ａ，７２０Ｂの組み付けを行うが、これについては、後述する。
【００７１】
一方、浴槽Ｔの内側より槽内取付部材７２における流路形成ユニット１０およびフィルタ部材７３を取り付ける。このような給湯口アダプタＡの各部材の取付手順は、周知であるから、ここでの詳しい説明は省略する。
【００７２】
このようにして浴槽Ｔの側壁Ｔａに貫通状態で取り付けられた給湯口アダプタＡでは、図１に示すように、流路形成ユニット１０の区画室１０ａの左側に位置する第１吸込室５１ａおよび第１吐出室５２ａ（図９参照）から流路分岐室１ｂを経て流路筒部１ｃの外側に繋がる流路Ｆ１は、槽外取付部材７１における外筒部７１ａと内筒部７１ｃとの間の環状空間７ａを通して外管接続部７２０Ａに連通している。
【００７３】
また、前記流路形成ユニット１０の区画室１０ａの右側に位置する第２吸入室５１ｂおよび第２吐出室５２ｂから流路分岐室１ｂを経て流路筒部１ｃの内側に繋がる流路Ｆ２は、槽外取付部材７１における内筒部７１ｃの内部空間７ｂにより外管接続部７２０Ｂに連通している。
【００７４】
この例での給湯口アダプタＡは、無極タイプであり、２つの流路Ｆ１，Ｆ２のいずれかが吸込側になっても、また、吐出側になっても同じ機能が得られる。
【００７５】
例えば、図１において、流路Ｆ１が給湯機の吸込側往き管に繋がっておれば、追い焚き時に、給湯機側からの強制吸引によって第２吸込弁３５ｂが内側へ変形し開弁し、第２吸込室５１ｂの前面側から浴槽温水が流路Ｆ２へ流入して給湯機側へ送られるが、下方の第２吐出弁３５ｂは、給湯機側からの強制吸引によって閉弁状態を維持する。
【００７６】
一方、吐出側となった流路Ｆ１には、給湯機側から温水が送給されるから、その送圧力によって第１吐出弁３６ａが外側へ変形して閉弁し、第１吐出室５２１ａに流入した供給温水が吐出口５３を通って浴槽Ｔ内に放出されるが、上方の第１吸込弁３５ａは、前記送圧力により開弁状態を維持する。
【００７７】
従って、流路Ｆ１が吸込側、流路Ｆ２が吐出側と逆の接続になっても、第１吸込室５１ａより浴槽温水を吸い込み、第２吐出室５２ｂから供給温水を吐出するだけで、同じことである。なお、湯張り作動時には、給湯機側から両流路Ｆ１，Ｆ２を通して温水が供給されるから、両吐出口３６ａ，３６ｂが閉弁し、第１および第２吐出室５２ａ，５２ｂの両方の吐出口５３から供給温水が放出される。勿論、この時には、両吸込弁３５ａ，３５ｂは閉弁している。
【００７８】
この例の給湯口アダプタＡでは、追い焚きにおいて、例えば第２吸込室５１ｂから浴槽温水を吸い込み、第１吐出室５２ａから供給温水を吐出する場合、第１吐出室５２ａからの略下向きの吐出流は、セパレータ部４Ａによって白矢印のように左右、つまり中央側と側方側との分流して浴槽Ｔ内に放出される。
【００７９】
この時、セパレータ部４Ａで流路が狭まって流速が増すため、該吐出流の近傍に誘引力を及ぼし、この誘引力が混合用流路６Ａの導出口６１に作用するこにより、黒矢印で示すように、浴槽Ｔ内の温水が断続的導出口６１から混合用流路６Ａに流入し、導出口６１から断続的に導出して側方側の吐出流に巻き込まれる。
【００８０】
また、中央側においても同様の誘引力が働くため、休止している第２吐出室５２ｂに入り込んでいる浴槽温水が黒矢印のように、連通口５５から第１吐出室５２ａ側に連続的に導出され、該中央側の吐出流に巻き込まれる。
【００８１】
従って、給湯機からの高温水と温度の低い浴槽温水とが吐出口５３近傍で混合され、吐出流は、降温した状態で浴槽Ｔ内に放出されるうえ、吐出流量が増大することによって、浴槽Ｔ内での攪拌作用も大きくなるから、浴槽Ｔ内の局部的な高温部が生じたりするのが防止される。
【００８２】
ところで、前記給湯機に繋がる往き管と戻り管とを接続するに先立って、槽外取付部材７１における外管接続部７２０Ａ，７２０Ｂについて、接続態様がＩ形仕様かＬ形仕様かに応じて組み立てを行う。
【００８３】
具体的には、前記給湯機に繋がる往き管と戻り管とを前記槽外取付部材７１における外管接続部７２０Ａ，７２０Ｂに対してＩ形仕様で接続する場合には、まず、外管接続部７２０Ａ，７２０Ｂにおける各傾斜接合面７２２ａの環状溝７２５にそれぞれＯリング７２４を嵌着した後、該外管接続部７２０Ａ，７２０Ｂにおける各基端部７２１の傾斜接合面７２１ａに対して、各先端部７２２を図１０〜図１２に示す姿勢にしてからその傾斜接合面７２２ａを接合する。
【００８４】
この状態で前記外管接続部７２０Ａ，７２０Ｂにおける基端部７２１側のフランジ７２１ｂと先端部７２２側のフランジ７２２ｂとを、一方のフランジ７２２ｂのねじ挿通孔７２２ｃに挿通したねじ８００・・・を他方のフランジ７２１ｂのねじ孔７２１ｃに螺合して締め付けて結合する。
【００８５】
これにより、前記外管接続部７２０Ａ，７２０Ｂにおける基端部７２１に対して先端部７２２が槽外取付部材本体７１０の後端ポート部７１０の管軸（基端部７２１の管軸）に沿って真っ直ぐ後方へ延びる状態のＩ形の仕様状態で結合されることになる。
【００８６】
また、前記給湯機に繋がる往き管と戻り管とを前記槽外取付部材７１における外管接続部７２０Ａ，７２０Ｂに対してＬ形仕様で接続する場合には、上記と同様にＯリング７２４を嵌着した後、該外管接続部７２０Ａ，７２０Ｂにおける各基端部７２１の傾斜接合面７２１ａに対して、各先端部７２２を図１３〜図１６に示す姿勢にしてからその傾斜接合面７２２ａを接合する。
【００８７】
この状態で上記と同様に、外管接続部７２０Ａ，７２０Ｂにおける基端部７２１側のフランジ７２１ｂと先端部７２２側のフランジ７２２ｂとをねじ８００で締め付ければ、簡単に両フランジ７２１ｂ，７２２ｂが結合される。
【００８８】
これにより、前記外管接続部７２０Ａ，７２０Ｂにおける基端部７２１に対して先端部７２２が槽外取付部材本体７１０の後端ポート部７１０の管軸（基端部７２１の管軸）に対して交差する方向に沿って延びるＬ形の仕様状態で結合されることになる。
【００８９】
このように、槽外取り付け部材７１における外管接続部７２０Ａ，７２０Ｂをそれぞれ基端部７２１と先端部７２２とに２分割し、各分割面７２１ａ，７２２ａが、図１１および図１２に示すように、それぞれ前記後端ポート部７１０ａ，７１０ｂの各管軸に対して４５°の角度で傾斜して接合面として構成されいるから、槽外取付部材７２として、その外管接続部７２０Ａ，７２０ＢがＩ形とＬ形の２種のものを用意しなくても、１種のものでＩ形の仕様とＬ形の仕様に対応することができる。従って、この共用化によって部材点数を削減でき、管理がしやすくなるうえ、外管接続部の形状が異なる２種の槽外取付部材７２を取り違えてしまうおそれもなくなる。
【００９０】
なお、この例では、前記基端部７２１の傾斜接合面７２１ａと先端部７２２の傾斜接合面７２２ａとが４５°に傾斜しているから、Ｌ形仕様において、前記基端部７２１に対して先端部７２２が直角に屈曲して突出する状態となるが、両傾斜接合面７２１ａ，７２２ａの傾斜角度は、４５°に限定されるものではない。
【００９１】
図１７および図１８は、前記槽外取付部材７２の外管接続部７２０Ａ，７２０Ｂの変形構造を示すものであり、図１０〜図１６と同一もくは相当部所には、同一符号を付してそれらの説明は、省略する。
【００９２】
図１７および図１８において、前記外管接続部７２０Ａ，７２０Ｂにおける両接合面７２１ａ，７２２ａを挟む管軸方向の両側部位は、該管軸に沿った直線状部７５０で構成されている。すなわち基端部７２１における傾斜接合面７２１ａは、その接合面７２１ａに直交する方向に延びる直線状部７５０を介して基端部７２１に設けられるとともに、先端部７２２における傾斜接合面７２２ａは、その接合面７２２ａに直交する方向に延びる直線状部７５０を介して先端部７２２に設けられている。
【００９３】
そして、外管接続部７２０Ａ，７２０Ｂにおける基端部７２１側のフランジ７２１ｂと先端部７２２側のフランジ７２２ｂとの結合には、結合部材として、例えばクイックファスナー９００が使用されている。
【００９４】
このクイックファスナー９００は、例えば図１９に示すように、平板状の基部６１の両端に互いに対向する円弧状の一対の弾性挟着片９１０，９１０が一体形成されており、前記両フランジ７２１ｂ，７２２ｂを径方向から弾性的に抱持するとともに、管軸方向から挟着するものであり、両弾性挟着片９１０，９１０には、装着状態で前記フランジ７２１ｂ，７２２ｂに嵌合する長孔９１３、９１３が該弾性挟着片９１０，９１０の長さ方向へ沿って形成されている。なお、両弾性挟着片９１０，９１０の各先端部９１０ａ，９１０ａは、前記フランジ７２１ｂ，７２２ｂに嵌め込むのを容易にさせるために、それぞれ外方側へ屈曲されている。
【００９５】
この例においては、図１７に示すように、前記外管接続部７２０Ａ，７２０Ｂにおける基端部７２１に対して先端部７２２が槽外取付部材本体７１０の後端ポート部７１０の管軸（基端部７２１の管軸）に沿った方向、具体的には、前記管軸に平行して後方へ延びる状態で結合されるから、前記フランジ７２１ｂ，７２２ｂをクイックファスナー９００で結合すれば、外管接続部７２０Ａ，７２０ＢがＩ形の仕様で使用できるこになる。
【００９６】
また、外管接続部７２０Ａ，７２０Ｂにおける基端部７２１に対して先端部７２２を図１７の位置から管軸回りで１８０°回転変移させて図１８に示す状態で前記傾斜接合面７２１ａ，７２２ａを接合してから、前記フランジ７２１ｂ，７２２ｂをクイックファスナー９００で結合すれば、外管接続部７２０Ａ，７２０ＢがＩ形の仕様で使用できることになる。
【００９７】
この場合、前記外管接続部７２０Ａ，７２０Ｂにおける両傾斜接合面７２１ａ，７２２ａを挟む管軸方向の両側部位は、該管軸に沿った直線状部７５０で構成されているから前記フランジ７２１ｂ，７２２ｂに対してクイックファスナー９００による結合操作をスペース的に支障なく行うことができる。
【００９８】
なお、この実施形態では、無極タイプで、しかも混合用流路を有する浴槽用給湯口アダプタＡを例示したが、これに限定されるものではなく、例えば槽内取付部材７２側フランジ７２ｂに対して流路形成ユニット１０を取り付ける形式のアダプタ等、広く適用可能である。
【図面の簡単な説明】
【００９９】
【図１】この発明の第１実施形態に係る浴槽用給湯口アダプタにおける外管接続装置が適用された給湯口アダプタを組み付け状態で示す縦断側面図である。
【図２】同浴槽用給湯口アダプタの分解斜視図である。
【図３】同浴槽用給湯口アダプタにおける流路形成ユニットを示す分解斜視図である。
【図４】同流路形成ユニットにおけるユニット本体を示す正面図である。
【図５】図４のＢ−Ｂ線に沿った断面矢視図である。
【図６】同ユニット本体の背面図である。
【図７】同ユニット本体の側面図である。
【図８】同流路形成ユニットにおける前板の背面図である。
【図９】同流路形成ユニットの縦断正面図である。
【図１０】同浴槽用給口アダプタにおける槽外取付部材をＩ形仕様状態で示す側面図である。
【図１１】同槽外取付部材をＩ形仕様状態で示す平面図である。
【図１２】同槽外取付部材をＩ形仕様状態で示す平面断面図である。
【図１３】同槽外取付部材をＬ形仕様状態で示す側面図である。
【図１４】同槽外取付部材をＬ形仕様状態で示す平面図である。
【図１５】同槽外取付部材をＬ形仕様状態で示す側面断面図である。
【図１６】同槽外取付部材をＬ形仕様状態で示す平面断面図である。
【図１７】同槽外取付部材の外管接続部の変形例をＩ形仕様状態で示す側面断面図である。
【図１８】同外管接続部の変形例をＬ形仕様状態で示す側面断面図である。
【図１９】図８および図９で使用したクイックファスナーを示す斜視図である。
【符号の説明】
【０１００】
１０・・・流路形成ユニット
７１・・・槽外取付部材
７２・・・槽内取付部材
７１０・・・槽外取付部材本体
７１０ａ，７１０ｂ・・・槽外取付部材本体の後端ポート部
７２０Ａ，７２０Ｂ・・・槽外取付部材における外管接続部
７２１・・・外管接続部の基端部
７２１ａ・・・外管接続部の基端部の傾斜接合面
７２１ｂ・・・外管接続部の基端部側のフランジ
７２２・・・外管接続部の先端部
７２２ａ・・・外管接続部の先端部の傾斜接合面
７２２ｂ・・・外管接続部の先端部のフランジ
７５０・・・直線部
８００・・・ねじ
９００・・・クイックファスナー
Ａ・・・浴槽用給湯口アダプタ
Ｈ・・・浴槽側壁の貫通孔
Ｔ・・・浴槽
Ｔａ・・・浴槽の側壁
【図１】
2010133653.tif 000003
【図２】
2010133653.tif 000004
【図３】
2010133653.tif 000005
【図４】
2010133653.tif 000006
【図５】
2010133653.tif 000007
【図６】
2010133653.tif 000008
【図７】
2010133653.tif 000009
【図８】
2010133653.tif 000010
【図９】
2010133653.tif 000011
【図１０】
2010133653.tif 000012
【図１１】
2010133653.tif 000013
【図１２】
2010133653.tif 000014
【図１３】
2010133653.tif 000015
【図１４】
2010133653.tif 000016
【図１５】
2010133653.tif 000017
【図１６】
2010133653.tif 000018
【図１７】
2010133653.tif 000019
【図１８】
2010133653.tif 000020
【図１９】
2010133653.tif 000021